(57)【特許請求の範囲】
【請求項１】
基材と、該基材上の導体回路と、該導体回路上の被覆層とを備え、該被覆層が外側となるように屈曲されて使用されるフレキシブルプリント基板であって、１８０度の折り曲げがされる屈曲部の内側に、該屈曲部の曲率半径が小さくなることを規制する、少なくとも曲率部の曲率に沿った形状を呈する幅寸法を有する規制フィルムが設けられており、該規制フィルムは、折り曲げ成形されていないことを特徴とするフレキシブルプリント基板。
【請求項２】
前記規制フィルムが、曲率に沿った形状の両側に非屈曲部を有するものであることを特徴とする請求項１記載のフレキシブルプリント基板。
【請求項３】
屈曲部位が単層であり、且つ、非屈曲部が２枚以上の積層物であることを特徴とする請求項２記載のフレキシブルプリント基板。
【請求項４】
前記基材の他方の側に、更に第２導体回路と、該第２導体回路上の第２被覆層とを備え、前記屈曲部は該第２導体回路と該第２被覆層が欠落しており、該欠落部分に前記規制フィルムを配置したことを特徴とする請求項１〜３いずれか１項に記載のフレキシブルプリント基板。
【請求項５】
基材と導体回路の接着は、接着剤を使用しない接着であることを特徴とする請求項１〜４いずれか１項に記載のフレキシブルプリント基板。
【請求項６】
前記被覆層はフィルムであって、前記規制フィルムは、該被覆層フィルムと同じフィルムであることを特徴とする請求項１〜５のいずれか１項に記載のフレキシブルプリント基板。
【発明の詳細な説明】
【技術分野】
【０００１】
本発明は、一部が屈曲されて使用されるフレキシブルプリント基板に関するものである。
【背景技術】
【０００２】
近年、フレキシブルプリント基板は薄くて軽いという特徴を生かして、高密度実装が必要な携帯電子機器への応用が盛んである。これらの携帯電子機器は、フレキシブルプリント基板上に各種の電子部品を配置し、利用できる空間に配線板を折り曲げ組み込むことで携帯に不可欠な小型化、高機能化を実現している。
【０００３】
しかし、フレキシブルプリント基板を折り曲げると、曲げ中心に対して導体回路の最外郭にある部分に張力が加わる。その結果、導体回路が断線することがある。このような折り曲げによる導体回路の断線を防止する方法は、種々開示されている。
【０００４】
特開２００１−３３９１２５号公報には、一部が折り曲げられて使用するフレキシブルプリント基板において、折り曲げ部の内側に前記折り曲げ部の曲率半径を規制するスペーサー、例えば板状体を設けたフレキシブルプリント基板が開示されている。このフレキシブルプリント基板によれば、折り曲げられて使用する部位の断線を防止して、信頼性を向上させる。また、特開２００３−５１６４８号公報には、面実装部品を実装する多層のフレキシブルプリント基板において、部品を実装するための導体ランドからの引き出し線がカバーレイフィルムで覆われていない場合に、前記引き出し線の裏面の導体と、前記引き出し線の裏面のカバーレイフィルムの両方、もしくは一方を除去したフレキシブルプリント基板が開示されている。このフレキシブルプリント基板によれば、部品ランドからの引き出し線に加わる張力を軽減し、引き出し線の断線を防止することができる。
【特許文献１】特開２００１−３３９１２５号公報（請求項１、６）
【特許文献２】特開２００３−５１６４８号公報（請求項１）
【発明の開示】
【発明が解決しようとする課題】
【０００５】
しかしながら、特開２００１−３３９１２５号公報記載のフレキシブルプリント基板においては、例えば、スペーサーが板状体のような場合、屈曲部のコーナー部において、逆に曲率半径が小さな部位が生じてしまう。また、特開２００３−５１６４８号公報記載のフレキシブルプリント基板においては、引き出し線に加わる張力が小さくなり、断線し難くなるものの、１８０度に折り曲げられた場合については、断線防止効果が未だ十分ではないという問題がある。また、基材と導体回路の接着を接着剤を使用せずに行う積層板においては、厚さが薄いため、例えカバーレイで覆われていても、折り曲げによる屈曲部の曲率半径が小さくなり、断線が起こり易いという問題がある。
【０００６】
従って、本発明の目的は、屈曲部位の断線を防止して、信頼性を向上させたフレキシブルプリント基板を提供することにあり、また、被覆層で覆われる薄い積層板の屈曲部位の断線を防止するフレキシブルプリント基板を提供することにある。
【課題を解決するための手段】
【０００７】
かかる実情において、本発明者等は鋭意検討を行った結果、被覆層が外側となるように屈曲されて使用される片面フレキシブルプリント基板の場合、屈曲部の内側に、両面フレキシブルプリント基板の場合、屈曲部の内側であって、且つ第２導体回路と第２被覆層が欠落した欠落部分に、少なくとも曲率部の曲率に沿った形状を呈する幅寸法を有する規制フィルムを付設すれば、屈曲部位の断線を防止して、信頼性を高めることなどを見出し、本発明を完成するに至った。
【０００８】
すなわち、本発明は、基材と、該基材上の導体回路と、該導体回路上の被覆層とを備え、該被覆層が外側となるように屈曲されて使用されるフレキシブルプリント基板であって、１８０度の折り曲げがされる屈曲部の内側に、該屈曲部の曲率半径が小さくなることを規制する、少なくとも曲率部の曲率に沿った形状を呈する幅寸法を有する規制フィルムが設けられており、該規制フィルムは、折り曲げ成形されていないことを特徴とするフレキシブルプリント基板を提供するものである。また、本発明は、前記規制フィルムが、曲率に沿った形状の両側に非屈曲部を有するものであることを特徴とする前記フレキシブルプリント基板を提供するものである。また、本発明は、屈曲部位が単層であり、且つ、非屈曲部が２枚以上の積層物であることを特徴とする前記フレキシブルプリント基板を提供するものである。
【０００９】
また、本発明は、該基材の他方の側に、更に第２導体回路と、該第２導体回路上の第２被覆層とを備え、該屈曲部は該第２導体回路と該第２被覆層が欠落しており、該欠落部分に該規制フィルムを配置した前記フレキシブルプリント基板を提供するものである。
【００１０】
また、本発明は、基材と導体回路の接着は、接着剤を使用しない接着である前記フレキシブルプリント基板を提供し、また、本発明は、該被覆層はフィルムであって、該規制フィルムは、該被覆層と同じフィルムである前記フレキシブルプリント基板を提供するものである。
【発明の効果】
【００１１】
本発明のフレキシブルプリント基板によれば、屈曲部の内側に規制フィルムを付設するだけで、屈曲部が必要以上に押し潰されて、曲率半径が小さくなり過ぎることに起因する、屈曲部位の断線を防止して、信頼性を向上させることができる。
【発明を実施するための最良の形態】
【００１２】
次に、本発明の第１の実施の形態におけるフレキシブルプリント基板を図１〜図３を参照して説明する。図１は本実施の形態例のフレキシブルプリント基板の屈曲前の屈曲部分の断面図、図２は図１の規制フィルム側から見た図、図３は本実施の形態例の屈曲状態のフレキシブルプリント基板の断面図をそれぞれ示す。
【００１３】
フレキシブルプリント基板１０は、基材１と、基材１上の導体回路２と、導体回路２上の被覆層３とを備える片面フレキシブルプリント基板である。基材１は、フレキシブル銅張積層板の絶縁用基材であり、例えばポリエステルフィルム、ポリイミドフィルムを使用することができる。このうち、ポリイミドフィルムが耐熱性があり、部品実装時の半田付け温度に十分耐えることができ、更に実際に機器に組み込んだ後の環境変化に対しても安定した性能が発揮できる点で好ましい。基材１の厚さは、通常１２．５〜５０μｍのものが使用される。
【００１４】
導体回路２の導体は、電解銅箔、圧延銅箔のいずれであってもよい。導体の厚みは、特に制限されないが、１０〜３５μｍの範囲で適宜決定される。フレキシブルプリント基板１０において、基材１と導体回路２の接着は、特に制限されず、接着剤を使用した接着、あるいは接着剤を使用しない接着のいずれでもよい。基材１と導体回路２との接着が接着剤を使用しない接着の場合、接着剤層がないため積層板の厚みをより薄くできる一方で、折り曲げた場合の屈曲部の曲率半径が小さくなる。このため、本発明の規制フィルムを設置する効果が一層顕著に表れる。基材１と導体回路２の接着を接着剤を使用せずに接着する方法としては、公知の方法を適用することができる。
【００１５】
被覆層３としては、特に制限されず、フィルムと接着剤とで構成されるカバーレイフィルム、硬化性樹脂が挙げられる。このうち、カバーレイフィルムが積層板の特徴を最もよく引き出せる点で好ましい。カバーレイフィルムの材質としては、特に制限されないが、例えばポリエステルフィルム、ポリイミドフィルムを使用することができる。このうち、基材と同じ材質を用いることが、製造時の加熱工程で異なった材質による熱膨張係数の違いによる製品のカールやそりを防止できる点で好ましい。接着剤は、エポキシ樹脂やアクリル樹脂などの熱硬化性樹脂を使用することができる。屈曲部に被覆層３があっても、屈曲部の厚みが薄いため、折り曲げによる屈曲部の曲率半径が小さくなり、規制フィルムが無いと断線が起こり得る。
【００１６】
フレキシブルプリント基板１０は、被覆層３が外側となるように屈曲されて使用され、屈曲部５の内側に、屈曲部５の曲率半径が小さくなることを規制する、少なくとも曲率部の曲率に沿った形状を呈する幅寸法を有する規制フィルム４を設ける。曲率部の曲率に沿った形状を呈する幅寸法Ｗとは、図５に示すように、１８０度の折り曲げの場合、曲率部（ｘからｙに至る部位）の曲率に沿った半円形状を呈する幅寸法である。なお、好ましい幅寸法は図３に示すように、曲率部の曲率に沿った形状４１に加えて、更に非屈曲部４２、４２を両側に有するものが、更に１８０度を超えて屈曲しても、非屈曲部４２、４２の内側面が互いに当接して、それ以上の屈曲を規制する点で好ましい。非屈曲部４２、４２の具体的な長さ（幅Ｗ方向の長さ）としては、片側で０．５ｍｍ以上、１０ｍｍ以下、好ましくは１ｍｍ以上、５ｍｍ以下である。非屈曲部４２、４２の長さがこの範囲にあれば、無駄に材料を使用することなく、１８０度より大きな角度を超えて屈曲することを有効に防止できる。
【００１７】
規制フィルム４の長さＬは、図２に示すような、屈曲部の長さと同じ長さのものが製作がし易い点で好ましいが、これに限定されず、例えば２/３Ｌ以上、１．０Ｌ未満の長さであって、長さ方向の中心位置に貼付されるものも使用できる。規制フィルム４の長さＬは屈曲部の長さと同じでなくとも、上記範囲にある長さがあれば、図２の場合と同様の断線防止効果が得られる。
【００１８】
規制フィルム４の材質としては、特に制限されないが、基材や被覆層がフィルムの場合、当該フィルムと同じ材質とすることが、製造時の加熱工程で異なった材質による熱膨張係数の違いによる製品のカールやそりを防止できる点で好ましい。規制フィルム４の厚みとしては、基材や被覆層がフィルムの場合、当該フィルムの厚さと同じでよく、通常１２．５〜５０μｍである。また、規制フィルム４は必要に応じて、２枚以上の積層物としてもよい。また、屈曲部位４１は単層として、非屈曲部４２、４２部位のみ２枚以上の積層物としてもよい。これにより、薄く折り曲げ易さを維持して、１８０度以上の角度を超えて屈曲することを有効に防止できる。
【００１９】
基材１に規制フィルム４を付設する方法としては、特に制限されず、表面と同じカバーレイフィルムを用いる場合、カバーレイフィルムを積層接着するときに同時に接着することが、工数を削除することができる点で好ましい。また、規制フィルム４は、熱硬化性接着剤を使用して基材１に接着してもよく、粘着剤を使用して基材１に接着してもよい。粘着剤は一般に市販されているものを使用することができる。粘着層の厚みとしては、通常２５〜１００μｍ、好ましくは５０〜１００μｍである。また、規制フィルムを除いた、基材１、導体回路２及び被覆層３からなる３層積層板の厚みとしては、３５〜１００μｍ、好ましくは３５〜８０μｍ、更に好ましくは３５〜６０μｍである。このような厚みの薄い積層板では折り曲げにより、曲率半径は小さくなるが、規制フィルム４の厚みが加わるため、屈曲による曲率半径が小さくなることを防止する。
【００２０】
第１の実施の形態におけるフレキシブルプリント基板１０によれば、屈曲部の内側に、所定幅の寸法を有する規制フィルムを付設するだけで、屈曲部が必要以上に押し潰されて、曲率半径が小さくなり過ぎることに起因する、屈曲部位の断線を防止して、信頼性を向上させることができる。フレキシブルプリント基板１０は、特に基材１と導体回路２との接着が接着剤を使用しない接着の場合、積層板の厚みをより薄くでき、一方積層板の厚みが小さいことで、折り曲げた場合の屈曲部の曲率半径が小さくなるものの、これは規制フィルム４で抑制できるため、本発明の効果が一層顕著に表れる。
【００２１】
次に、本発明の第２の実施の形態におけるフレキシブルプリント基板を図４を参照して説明する。図４は本実施の形態例のフレキシブルプリント基板の屈曲前の屈曲部分の断面図を示す。図４において、図１と同一構成要素には同一符号を付して、その説明を省略し異なる点について主に説明する。すなわち、図４において、図１と異なる点は、積層板が両面フレキシブルプリント基板であって、屈曲部相当位置を第２導体回路と第２被覆層が欠落したものとした点にある。
【００２２】
すなわち、フレキシブルプリント基板１０ａは、フレキシブルプリント基板１０に対して、基材１の他方の側（図４中、下側）に、更に第２導体回路２ａと、第２導体回路２ａ上の第２被覆層３ａとを備え、屈曲部は第２導体回路２ａと第２被覆層３ａが欠落しており、欠落部分に規制フィルム４を配置している。欠落部分における規制フィルム４の端と近接する第２導体回路２ａ（第２被覆層３ａ）の端との隙間（Ｚ−Ｗ）/２）としては、特に制限されず、１ｍｍ以上である。上記隙間がこの範囲にあれば、両面フレキシブルプリント基板の特徴を維持しつつ、製作上の問題も生じることはない。
【００２３】
第２の実施の形態における両面フレキシブルプリント基板１０ａによれば、第１の実施の形態における片面フレキシブルプリント基板１０と同様の効果を奏する。
【図面の簡単な説明】
【００２４】
【図１】第１の実施の形態例のフレキシブルプリント基板の屈曲前の屈曲部分の断面図である。
【図２】図１の規制フィルム側から見た図である。
【図３】本実施の形態例の屈曲状態のフレキシブルプリント基板の断面図である。
【図４】第２の実施の形態例のフレキシブルプリント基板の屈曲前の屈曲部分の断面図である。
【図５】曲率部の曲率に沿った形状を呈する幅寸法を説明する図である。
【符号の説明】
【００２５】
１      基材
２      導体回路
３    被覆層
４    規制フィルム
５    屈曲部
１０、１０ａ    フレキシブルプリント基板
４１    屈曲部位
４２    非屈曲部位
４３    非屈曲部位の内側面（当接面）
Ｗ      規制フィルムの幅寸法
Ｚ      欠落部位
【図１】
0004692815.tif 000002
【図２】
0004692815.tif 000003
【図３】
0004692815.tif 000004
【図４】
0004692815.tif 000005
【図５】
0004692815.tif 000006